(57)【要約】      （修正有）【課題】側溝用暗渠ブロックの上に歩車道境界ブロックが載置される路盤構造であって、暗渠ブロックを中心として雑草繁茂への防御性と強度性に優れた道路用路盤構造を提供する。【解決手段】最下層の路盤材１０と、頭部の左右両脇に嵌合溝部を挟んで車道側嵌合壁部２３及び歩道側嵌合壁部２４が立設された側溝用暗渠ブロック２０と、嵌合溝部に載置される歩車道境界ブロック４０と、車道側と歩道側に敷設されるアスファルト層３０ａ、３０ｂとで形成される路盤構造であって、側溝用暗渠ブロックには、天端面から延設された垂壁と斜壁との間にＶ字型の返し溝が形成され、端部が暗渠ブロックの垂壁と斜壁とに挟まれた返し溝に密に充填されつつ、上端が天端面と下端が該斜壁の先端部と一致する厚み５０〜６０ｍｍのアスファルト層が形成され、アスファルト層が車道側と歩道側の両側に配されて路面が形成される。【選択図】図１
0003227102.tif 000002
【実用新案登録請求の範囲】
【請求項１】
最下層の路盤材と、頭部の左右両脇に嵌合溝部を挟んで車道側嵌合壁部及び歩道側嵌合壁部が立設された側溝用暗渠ブロックと、該嵌合溝部に載置される歩車道境界ブロックと、一方に車道側アスファルト層と他方に歩道側ススファルト層が敷設されるアスファルト層とで形成される舗装道路の路盤構造であって、
該側溝用暗渠ブロックには、天端面から延設された垂壁と斜壁との間にＶ字型の返し溝が形成され、
端部が該側溝用暗渠ブロックの垂壁と斜壁とに挟まれた返し溝に密に充填されつつ、上端が天端面と下端が該斜壁の先端部と一致する厚み５０〜６０ｍｍのアスファルト層が形成され、
該アスファルト層が車道側と歩道側の両側に配される路面が形成されて、
なることを特徴とする側溝埋設舗装道路の路盤構造。
【請求項２】
側溝用暗渠ブロックの嵌合壁部に形成する斜壁と本体壁とのなす角度を５５度としたことを特徴とする側溝埋設舗装道路の路盤構造。
【考案の詳細な説明】
【技術分野】
【０００１】
本考案は、側溝用暗渠ブロックの上に歩車道境界ブロックを載置すると共に路面にアスファルト層を施した歩車道用路盤構造にあって、暗渠ブロックを中心として雑草繁茂への防御性と強度性に優れた道路用路盤構造に関する。
【背景技術】
【０００２】
従来、歩道と車道とが並走する舗装道路には、その境界を定める為の歩車道境界ブロックとその下に側溝用暗渠ブロックが埋設されているものがある。
このとき、その境界ブロックの両側面には、路面にアスファルト舗装が施され、一方に歩行者の歩みを促し、他方には車の走行による踏圧に耐え得る構造とされている。
さて、この歩車道境界ブロックとアスファルト層には、春、夏、秋、冬の四季の変化や、昼夜の日射量の違いによって、暖冷の温度差が生じ、互いの間に膨張と収縮がくり返される傾向にある。そして、これが永い年月を経ると、両者には亀裂による隙間が生まれ、徐々に拡大する傾向となる。
すると、その隙間には植物の種が侵入し、根が張り、芽が伸びることで雑草が繁茂することになる。
又、アスファルト舗装には、車の踏圧に耐える一定の強度が要求される一方で、必要以上の厚みを避けるべき経済性も求められ、境界ブロックと側溝用暗渠ブロック及びこのアスファルト層との間で、三者が有機的に一体化されるべきことが望まれる。
尚、先行技術として雑草を防止する返し溝を形成した特許文献１及び特許文献２が存在するが、上記歩車道用の路盤構造としてアスファルト層との関係を深めた路盤構造に関するものではない。
【先行技術文献】
【特許文献】
【０００３】
【特許文献１】特許第３６９８２６５号
【特許文献２】特許第３９００５００号
【考案の概要】
【考案が解決しようとする課題】
【０００４】
そこで、本考案は、この雑草対策として根の成長を阻止できるようＶ字型の返し溝を形成した側溝用暗渠ブロックを施すと共に、歩車道境界ブロックと路面に施されるアスファルト層及び路盤材との間で有機的に働いて、強固で且つ経済性に富んだ歩車道用路盤構造を提供しようとするものである。
【課題を解決するための手段】
【０００５】
本案側溝埋設舗装道路の路盤構造は、最下層の路盤材と、頭部の左右両脇に嵌合溝部を挟んで車道側嵌合壁部及び歩道側嵌合壁部が立設された側溝用暗渠ブロックと、該嵌合溝部に載置される歩車道境界ブロックと、一方に車道側アスファルト層と他方に歩道側ススファルト層が敷設されるアスファルト層とで形成される舗装道路の路盤構造であって、該側溝用暗渠ブロックには、天端面から延設された垂壁と斜壁との間にＶ字型の返し溝が形成され、端部が該側溝用暗渠ブロックの垂壁と斜壁とに挟まれた返し溝に密に充填されつつ、上端が天端面と下端が該斜壁の先端部と一致する厚み５０〜６０ｍｍのアスファルト層が形成され、該アスファルト層が車道側と歩道側の両側に配される路面が形成されてなることを特徴とする。
【０００６】
請求項２記載の側溝埋設舗装道路の路盤構造は、側溝用暗渠ブロックの嵌合壁部に形成する斜壁と本体壁とのなす角度を５５度としたことを特徴とする。
【考案の効果】
【０００７】
本考案路盤構造の側溝用暗渠ブロックには、天端面から延設された垂壁と斜壁との間にＶ字型の返し溝が形成され、返し溝にはアスファルト層が密に充填される形態とすると、寒暖差等により膨脹と収縮が繰り返されて両者の間に隙間ができた場合、そこの植物の種が侵入しても、垂壁と斜壁２３の間でＶ字型の返し溝が形成されているので、植物の根の向地性から斜壁を登ることはできず、雑草の根の進行が妨げられる。
一方、下層の路盤材から植物の芽が伸びてきても、上端が天端面と下端が該斜壁の先端部と一致するアスファルト層が形成されているので、アスファルト層の底辺にぶつかり、植物の芽の光屈性から斜壁を進むことができず、それ以上に植物の芽が上に伸びることがない。
両者が相俟って雑草の繁茂が効率良く防止される。
【０００８】
アスファルト層は、上端が天端面と下端が該斜壁の先端部と一致する厚み５０〜６０ｍｍに形成されるので、車が走行して負荷のより大となる車道側でもその踏圧にも耐えることができ、もちろん歩道側でも人の踏圧に耐えることができ、両側において充分な路盤の強度が発揮されると共に、経済性に背く過大な厚みとなることがなく、強度と経済性の両者の均衡のとれたものとなる。
車道側と歩道側とで統一的な配置構造となるので、簡潔な構造となる。充分な強度と経済性を備えた効率的な路盤構造となる。
【０００９】
斜壁の本体壁に対する傾斜角度を５５度とすると、根の張りに対する向地性の効果が良好で且つ芽の伸張に対する光屈性の効果も良好となり、互いに均衡のとれた効果を発揮するものとなる。
【図面の簡単な説明】
【００１０】
【図１】本案路盤構造の一例を示す部分的断面図である。
【図２】本案に使用する側溝用暗渠ブロックを示す断面図である。
【図３】側溝用暗渠ブロックの一部を拡大した一部切欠断面図である。
【図４】側溝用暗渠ブロックとアスファルト層の一部を拡大した一部切欠断面図である。
【図５】側溝用暗渠ブロックの他の態様を示した断面図で、（ａ）が嵌合壁の高さの異なる態様のもの、（ｂ）が上下分離型の態様を示したものである。
【考案を実施するための形態】
【００１１】
本考案の路盤構造の全体概要から説明すると、図１に示す如く、本案路盤構造は、歩道と車道の並走する舗装道路を対象としてなされ、最下層となる路盤材１０に暗渠溝２２の刻設された側溝用暗渠ブロック２０が埋設され、その暗渠ブロック２０頭部の左右両脇には嵌合溝部２５を挟んで、車道側嵌合壁部２３及び歩道側嵌合壁部２４が立設される。そして、該側溝用暗渠ブロック２０の両脇には、一方に車道側アスファルト層３０ａが、他方に歩道側ススファルト層３０ｂが敷設される。
又、側溝用暗渠ブロック２０の上には、その嵌合溝部３０に載置される形で歩車道境界ブロック４０が嵌着される。
【００１２】
上記全体構造にあって、先ず、本考案の主体となる側溝用暗渠ブロック２０について、図２を基に説明すると、該暗渠ブロック２０は、上記の如く、車道側嵌合壁部２３及び歩道側嵌合壁部２４が立設される。
例えば、車道側嵌合壁部２３は、図３に示す如く、その頭部が天端面２３ａに形成され、その天端面２３ａから若干の傾斜を伴って垂壁２３ｂが形成され、該垂壁２３ｂから一定距離だけ離れた位置に斜壁２３ｃが形成される。
即ち、該垂壁２３ｂと斜壁２３ｃとの間でＶ字型の返し溝２３ｄが形成される形態とする。このとき斜壁２３ｃが本体壁２３ｆとの間でなす角度を３５度とするのが望ましい。
該返し溝２３ｄは、雑草の根をこれ以上に張らせず、芽を伸張させないで、その繁茂を防止する機能を果たすものである。
該斜壁２３ｃが登った先には若干の平坦部を備えた小坦面２３ｅが形成され、そこから先は本体胴部に向かって垂下する本体壁２３ｆを形成して車道側嵌合壁部２３が構成される。
【００１３】
該車道側嵌合壁部２３の具体的寸法は、その目的に応じて変えられるが、例えば、垂壁２３ｂが天端面２３ａから斜壁２３ｃに至る距離を６７．２ｍｍとし、垂壁２３ｃの始点（返し溝２３ｄの谷底）から本体壁２３ｆに至るまでの距離を２４．６ｍｍとする。垂壁２３ｂと斜壁２３ｃとのなす角度（返し溝２３ｄのＶ字の角度）を３５度とし、つまり、斜壁２３ｃと本体壁２３ｅとのなす角度を５５度とする。平坦面２３ａの終端部と本体壁２３ｆとの間は、３４ｍｍとし、小坦面を９．４ｍｍとし、垂壁２３ｂの傾斜は始点から終点までの間が１．７ｍｍ程度とすることができる。
【００１４】
歩道側嵌合壁部２４においても同様で、天端面２４ａから若干の傾斜を伴って垂壁２４ｂが形成され、該垂壁２４ｂから一定距離だけ離れた位置に斜壁２４ｃが形成され、該垂壁２４ｂと斜壁２４ｃとの間でＶ字型の返し溝２４ｄが形成される。該斜壁２４ｃが登った先には若干の平坦部を備えた小坦面２４ｅが形成され、そこから先は本体胴部に向かって垂下する本体壁２４ｆを形成して車道側嵌合壁部２４が構成される。
【００１５】
該車道側嵌合壁部２３と歩道側嵌合壁部２４との両脇には、最下層に路盤材１０を敷設して、その上に表面が路面を形成する車道側アスファルト層３０ａ及び歩道側アスファルト層３０ｂが施される。
図４には、車道側アスファルト層３０ａを示したが、その態様は上記車道側嵌合壁部２３の天端面２３ａとアスファルト層３０ａの表面位置を一致させ、端部を上記垂壁２４ｂと斜壁２４ｃとに挟まれたＶ字型の返し溝２４ｄのなかに密に充填する。
そして、上記返し溝２４ｄの端部となる小坦面２３ｅと、それに平行させてアスファルト層３０ａの最下層となる底面との位置を一致させて、その厚みを５０〜６０ｍｍとする。
この厚み５０〜６０ｍｍについては、貨物自動車等が走行する際に、その荷重と踏圧に耐え得るよう定めたもので、一方で過大な厚みは経済性に背くから、両者の均衡を図った厚みとしている。
歩道側アスファルト層３０ｂも同様な構成であり、その厚みを５０〜６０ｍｍとするのは、車道側アルファルト３０ａの場合と比較して、充分な耐荷重性となるが、両者に違いを設けるよりも、両者を同一として統一的な構造とし、簡潔性と経済性を兼ねるよう図ったものである。
【００１６】
路盤材１０とアスファルト層３０とは互いに密接し合って隙間のない構造とし、車両の走行又は人の往来があっても、下層となる路盤材１０が上層のアスファルト層３０を充分に支持し、堅固な路盤とする。
【００１７】
上記側溝用暗渠ブロック２０の上には、歩車道境界ブロック４０が載置されるが、その態様は、上記車道側嵌合壁部２３と歩道側嵌合壁部２４との間に形成される嵌合溝部２５に嵌合するように設けられる。
この歩車道境界ブロック４０の隣り合うブロック同志と下の側溝用暗渠ブロック２０との三者の接合部にはモルタルを充填して、互いが接着されて強く結合される形態とする。
【００１８】
上記歩車道が並走する路盤構造にあって、１本の車道に対して、歩道は左右両脇に２本備える場合と、左右のいずれか一方の場合とがあるが、本案にあっては、そのいずれにも対応することができる。歩道が左右両脇に備わる場合には、上記暗渠ブロック２０は、それに対応して左右に２つを設け、その構造は左右対称となる形態とし、歩道の幅だけが道路の状況に応じたものとなる。
【００１９】
尚、上記側溝用暗渠ブロックの形状には、図５（ａ）に示す如く、車道側嵌合壁部２３と歩道側嵌合壁部２４とで高さのことなる態様もあり、この場合には高くなった嵌合壁部に合わせてアスファルト層を高くする態様とする。
又、図５（ｂ）に示す如く、暗渠ブロックが上限に分離される態様もあり、この場合には上下を合わせて一体化されたものと同様に扱うことができる。
【００２０】
斯くして、本案舗装道路の路盤構造が構成されるが、その施工手順を簡単に説明すると、先ず、対象となる歩車道に応じて路盤材１０を施した路盤の下層を形成し、その上に側溝用暗渠ブロック２０を車道及び歩道の幅に合わせて正確な位置に敷設する。そして、該暗渠ブロック２０の車道側嵌合壁部２３及び歩道側嵌合壁部２４の返し溝２３ｄ、２４ｄの先の小坦面２３ｅ、２４ｅと並ぶ高さまで上記路盤材１０を補う。次いで、アスファルト層３０の形成に移り、車道側又は歩道側（例えば車道側）から始め、先ず車道側嵌合壁部２３の返し溝２３ｄの形成された端部にアスファルト層３０を溝部の先にも行き渡るよう充分密に充填する。そして、上記補填した路盤材１０の上で
該側溝用暗渠ブロック２０の車道側嵌合壁部２３及び歩道側嵌合壁部２４の返し溝２３ｄ、２４ｄの先の小坦面２３ｅ、２４ｅと並ぶ位置からその上にアスファルト層３０ａ、３０ｂを形成する。該アスファルト層３０ａ、３０ｂの表面を平圧して舗装道路が施工される。
最後に、歩車道境界ブロック４０を上記暗渠ブロック２０の車道側嵌合壁部２３及び歩道側嵌合壁部２４の嵌合溝２５に載置して接合部をモルタルで接着して、硬化後に本案舗装道路の路盤構造が完成される。
【００２１】
次いで、本案案舗装道路の路盤構造の作用、効果を説明する。
上記構成の本案案舗装道路の路盤構造には、車道側嵌合壁部２３及び歩道側嵌合壁部２４が立設される側溝用暗渠ブロック２０が立設され、その一方に車道側アスファルト層３０ａと他方に歩道側ススファルト層３０ｂが敷設されるアスファルト層３０が形成されるが、そのブロック体とアスファル層との間には、春夏秋冬の四季の変化や、昼夜の日射量の変化等による温度条件の変化により、材質に違いがあるため、そこに膨脹と収縮が繰り返される。そして、それが長い年月を経ると、両者間に僅かの隙間を生じ、それが徐々に拡大する傾向となる。
すると、そこに植物の種が飛来し、隙間に入り込むと、やがて芽が出て根が張り、その根が下に向かって伸びて、雑草の生え出す原因となる。
しかし、本案にあっては、側溝用暗渠ブロック２０には、車道側嵌合壁部２３及び歩道側嵌合壁部２４が立設され、例えば、車道側嵌合壁部２３には、その頭部が天端面２３ａに形成され、その天端面２３ａから垂壁２３ｂが形成され、該垂壁２３ｂから一定距離だけ離れた位置に斜壁２３ｃが形成され、即ち、該垂壁２３ｂと斜壁２３ｃとの間でＶ字型の返し溝２３ｄが形成されている。
その結果、上記飛来した植物の種から芽が出て、下方に向かって根が張り出しても、それはやがて上記返し溝２３ｄの最下点に達する。すると、そこからは上記の如く垂壁２３ｂに対する斜壁２３ｃが形成されているから、植物の根は向地性を有しているので、上に向いた斜壁２３ｃを登ることはできず、そこで根の成長は停止されたものとなる。
【００２２】
一方、下層の路盤材１０内には、工事の途中で植物の根が残っている場合があり、又、脇方向から他の植物の根が伸びてくることがあり、雑草が生える原因となる。
しかし、本案路盤構造では、上記側溝用暗渠ブロック２０の返し溝２３ｄの先となる小坦面２３ｅと高さを一致させて、車道側アスファルト層３０ａが形成されている為、上に向かって伸びてきた植物の芽は、該アスファルト層３０ａの底辺にぶつかり、それが横に伸びても、返し溝２３ｄの斜壁２３ｃが下方向となるので、植物の芽は光屈性を有していることから下に進むことができず、それ以上伸張できないものとなる。
この結果、植物は根が下方に向かって張り出すことができず、又、芽が上に向かって伸張することもできず、相俟ってその成長が抑止され、総体的に雑草の繁茂は阻止されたものとなる。
このとき、斜壁２３ｃの本体壁２３ｆに対する傾斜角度を５５度とすると、上記根の張りに対する向地性の効果が良好で、且つ、芽の伸張に対する光屈性の効果も良好となり、互いに均衡のとれた効果を発揮できることが、本出願人の実験により確認されている。
【００２３】
このことは、歩道側嵌合壁部２４においても、まったく同様である。
【００２４】
該車道側嵌合壁部２３と歩道側嵌合壁部２４との両脇には、最下層に路盤材１０を敷設して、その上に表面が路面を形成する車道側アスファルト層３０ａ及び歩道側アスファルト層３０ｂが施される。例えば、車道側アスファルト層３０ａの車道側嵌合壁部２３の天端面２３ａとアスファルト層３０ａの表面位置を一致させ、端部を上記垂壁２４ｂと斜壁２４ｃとに挟まれたＶ字型の返し溝２４ｄのなかに密に充填され、上記返し溝２４ｄの端部となる小坦面２３ｅと、それに平行させてアスファルト層３０ａの最下層となる底面との位置を一致させて、その厚みが５０〜６０ｍｍに形成されている。
従って、端部が鉤構造でしっかり固定されると共に、路盤材１０と密接して厚み５０〜６０ｍｍのアスファルト層が形成されるので、その上を貨物車等の重量車両が走っても、その踏圧等に充分耐えることができる。且つ、その厚みは過大となることはなく、強度と経済性の両面を備えたものとなる。
歩道側アスファルト層３０ｂのにあっても同様で、人の踏圧は車両等より小さいものであるから、強度的にはより充分なものとなる。
【００２５】
そして、該車道側嵌合壁部２３と歩道側嵌合壁部２４及びその車道側アスファルト層３０ａと歩道側アスファルト層３０ｂとを統一的な構造としたから、全体的に簡潔となり、ブロックの製造やその施工においても経済性に優れたものとなる。
【００２６】
本案は以上のようで、歩車道用路盤構造として多様な形態に対応できる。
【符号の説明】
【００２７】
１０        路盤材
２０        側溝用暗渠ブロック
２１      本体
２２      暗渠溝
２３      車道側嵌合璧部
２３ａ  天端面
２３ｂ  垂壁
２３ｃ  斜壁
２３ｄ  返し溝
２３ｅ  小坦面
２３ｆ  本体壁
２４      歩道側嵌合璧部
２４ａ  天端面
２４ｂ  垂壁
２４ｃ  斜壁
２４ｄ  返し溝
２４ｅ  小坦面
２４ｆ  本体壁
２５      嵌合溝部
３０        アスファルト層
３０ａ    車道側アスファルト層
３０ｂ    歩道側アルファル層
４０        歩車道境界ブロック
【図１】
0003227102.tif 000003
【図２】
0003227102.tif 000004
【図３】
0003227102.tif 000005
【図４】
0003227102.tif 000006
【図５】
0003227102.tif 000007